(57)【要約】【課題】  カウンターを平面視で略Ｌ字形状に形成しそのコーナ部に洗面ボウルを配置することにより、鏡と使用者との間の寸法を狭めて、使い勝手の向上等を図り得る洗面化粧台を提供する。【解決手段】  洗面ボウルを有するカウンターを備えた洗面化粧台であって、前記カウンターが平面視で略Ｌ字形状に形成されると共に、該カウンターのＬ字のコーナ部に前記洗面ボウルが配置されていることを特徴とする。前記洗面ボウルの後方側のコーナスペースに蛇口が配置され、また、前記カウンターが長辺部と短辺部を有するＬ字形状に形成され、該カウンターの直交する外辺のうち少なくとも長辺部側の外辺上部に鏡が配置される。【選択図】  図１
2007075180.tif 000002
【特許請求の範囲】
【請求項１】
洗面ボウルを有するカウンターを備えた洗面化粧台であって、
前記カウンターが平面視で略Ｌ字形状に形成されると共に、該カウンターのＬ字のコーナ部に前記洗面ボウルが配置されていることを特徴とする洗面化粧台。
【請求項２】
前記洗面ボウルが前記コーナ部に斜めの状態で配置されると共に、この洗面ボウルの後方側のコーナスペースに蛇口が配置されていることを特徴とする請求項１に記載の洗面化粧台。
【請求項３】
前記カウンターはキャビネット上に配置されると共に、このキャビネットが前記カウンターの形状に対応して平面視で略Ｌ字形状に形成されていることを特徴とする請求項１または２に記載の洗面化粧台。
【請求項４】
前記カウンターが長辺部と短辺部を有するＬ次形状に形成され、該カウンターの直交する外辺のうち少なくとも長辺部側の外辺上部に鏡が配置されていることを特徴とする請求項１ないし３のいずれかに記載の洗面化粧台。
【請求項５】
前記カウンターの短辺部側の外辺が面する壁面に、洗面化粧台が設置される洗面室への出入り用ドアが設けられていることを特徴とする請求項４に記載の洗面化粧台。
【発明の詳細な説明】
【技術分野】
【０００１】
本発明は、洗面ボウルが配置された洗面化粧台に係わり、特に洗面ボウルがＬ字型カウンターのコーナ部に配置された洗面化粧台に関する。
【背景技術】
【０００２】
従来、キャビネット等の上面に洗面ボウルを有する洗面化粧台としては、例えば図６に示すものが知られている。この洗面化粧台１０１は、キャビネット１０２が平面視で長方形状に形成されると共に、このキャビネット１０２の上面開口部に洗面ボウル１０４を有する平面視長方形状のカウンター１０３が配置されている。この時、洗面ボウル１０４はカウンター１０３の略中央部分に配置されると共に、この洗面ボウル１０４の奥行き側（後方側）に蛇口１０５等が配置されている。なお、この種の洗面化粧台とサイドカウンターを使用して全体形状をＬ字型に構成した洗面化粧台は、例えば特許文献１に開示されている。
【特許文献１】特開２００４−２４４２６３号公報
【発明の開示】
【発明が解決しようとする課題】
【０００３】
しかしながら、このような洗面化粧台１０１においては、カウンター１０３やキャビネット１０２が平面視長方形状に形成され、洗面ボウル１０４の後方側に蛇口１０５等が配置されていることから、洗面ボウル１０４自体の奥行き寸法に蛇口１０５等の設置スペースが必要となって、カウンター１０３（キャビネット１０２）の奥行き寸法Ｗを小さくすることが困難である。そして、キャビネット１０２の背面板あるいはキャビネット１０２が設置される洗面室の壁パネル等に鏡１０６が取り付けられるため、カウンター１０３の奥行き寸法Ｗ分、鏡１０６が使用者Ｍ１に対して比較的遠い位置となり、例えば近視の使用者Ｍ１が顔を鏡１０６に所望位置まで近づけて化粧や髭剃りを行うことが難しい場合がある。
【０００４】
また、カウンター１０３の奥行き寸法Ｗが一般的に６００ｍｍ程度に設定されているため、洗面化粧台１０１が設置される洗面室の面積が小さい場合等に、洗面室に対するカウンター１０３の占有スペースが大きくなり、使用者Ｍ１がカウンターの前方に立って洗面化粧台１０１を使用している際に、洗面化粧台１０１前方のスペースが小さくなって、他の人の通行がし難い場合がある。
【０００５】
本発明は、このような事情に鑑みてなされたもので、その目的は、カウンターを平面視で略Ｌ字形状に形成しそのコーナ部に洗面ボウルを配置することにより、鏡と使用者との間の寸法を狭めて、使い勝手の向上等を図り得る洗面化粧台を提供することにある。
【課題を解決するための手段】
【０００６】
かかる目的を達成すべく、本発明のうち請求項１に記載の発明は、洗面ボウルを有するカウンターを備えた洗面化粧台であって、前記カウンターが平面視で略Ｌ字形状に形成されると共に、該カウンターのＬ字のコーナ部に前記洗面ボウルが配置されていることを特徴とする。
【０００７】
また、請求項２に記載の発明は、前記洗面ボウルが前記コーナ部に斜めの状態で配置されると共に、この洗面ボウルの後方側のコーナスペースに蛇口が配置されていることを特徴とし、請求項３に記載の発明は、前記カウンターがキャビネット上に配置されると共に、このキャビネットが前記カウンターの形状に対応して平面視でＬ字形状に形成されていることを特徴とする。さらに、請求項４に記載の発明は、前記カウンターが長辺部と短辺部を有するＬ字形状に形成され、該カウンターの直交する外辺のうち少なくとも長辺部側の外辺上部に鏡が配置されていることを特徴とする。また、請求項５に記載の発明は、前記カウンターの短辺部側の外辺が面する壁面に、洗面化粧台が設置される洗面室への出入り用ドアが設けられていることを特徴とする。
【発明の効果】
【０００８】
本発明のうち請求項１に記載の発明によれば、洗面ボウルを有するカウンターが平面視で略Ｌ字形状に形成されると共に、このカウンターのＬ字のコーナ部に洗面ボウルが配置されているため、カウンターの奥行き寸法を小さくし、使用者と鏡との間の寸法を狭めることができ、近視の使用者の化粧や髭剃り等がし易くなったり、二人で同時に洗面ボウルを使用できる等、洗面化粧台の使い勝手を向上させることができる。
【０００９】
また、請求項２に記載の発明によれば、請求項１に記載の発明の効果に加え、洗面ボウルがコーナ部に斜めの状態で配置されると共に、この洗面ボウルの後方側のコーナスペースに蛇口が配置されているため、洗面ボウルの後方側のデッドスペースを利用して蛇口を配置できて、カウンターの奥行き寸法を一層小さくすることができる。
【００１０】
また、請求項３に記載の発明によれば、請求項１または２に記載の発明の効果に加え、カウンターがキャビネット上に配置されると共に、このキャビネットがカウンターの形状に対応して平面視で略Ｌ字形状に形成されているため、Ｌ字形状のキャビネットによりＬ字形状のカウンターを安定して支持することができると共に、キャビネット内に容量の大きな収納部を形成することができる。
【００１１】
さらに、請求項４に記載の発明によれば、請求項１ないし３に記載の発明の効果に加え、カウンターが長辺部と短辺部を有するＬ字形状に形成され、このカウンターの直交する外辺のうち少なくとも長辺部側の外辺上部に鏡が配置されているため、奥行き寸法の小さい長辺部を利用して使用者が鏡に簡単に近づくことができる等、洗面化粧台の使い勝手を一層向上させることができる。
【００１２】
また、請求項５に記載の発明によれば、請求項４に記載の発明の効果に加え、カウンターの短辺部側の外辺が面する壁面に洗面室への出入り用ドアが設けられているため、長辺部の前方で使用者が洗面化粧台を使用している場合でも、その前方を他の人がスムーズに通行して出入り用ドアから出入りできる等、洗面化粧台自体や洗面室の使い勝手をより一層向上させることができる。
【発明を実施するための最良の形態】
【００１３】
以下、本発明の実施の形態を図面に基づいて詳細に説明する。
図１〜図５は、本発明に係わる洗面化粧台の一実施形態を示し、図１がその概略平面図、図２が洗面室への設置状態を示す平面図、図３及び図４が使用状態の説明図、図５が洗面ボウルの変形例を示す平面図である。
【００１４】
図１に示すように、洗面化粧台１は、キャビネット２の上面開口部に配置されたカウンター３を有している。このカウンター３は、例えば人工大理石によって形成され、奥行き寸法がＷ１で長さがＬ１の長辺部３ａと、奥行き寸法がＷ２で長さがＬ２の短辺部３ｂとにより、平面視の外形形状がＬ字形状に形成されている。また、カウンター３の長辺部３ａと短辺部３ｂの交差部分であるコーナ部４には、平面視で例えば楕円形状の洗面ボウル５が斜めの状態で配置されると共に、洗面ボウル５の後方側のコーナ部４には、蛇口６と操作部材７等が配置されている。
【００１５】
なお、前記洗面ボウル５は、例えば人工大理石によってカウンター３に一体成形、あるいは別体に成形後にカウンター３に接合されている。また、前記キャビネット２は、例えば木材の枠組み構造によりカウンター３の平面視形状に対応した平面視Ｌ字形状に形成されて、その前面に図示しない複数の開閉扉が所定方向に開閉可能に取り付けられると共に、この開閉扉の後方内部に所定形態の収納部（図示せず）が形成されている。
【００１６】
そして、この洗面化粧台１は、カウンター３の長辺部３ａの外辺となるキャビネット２の背面板部分が上方に延設されて、この延設部分（すなわちカウンター３上方）に鏡８が配置されている。この鏡８は、カウンター３の長辺部３ａと短辺部３ｂを併せた長さと略同一長さで所定高さの長方形状に形成されており、カウンター３の長辺部３ａから短辺部３ｂに亘って設けられることにより、長辺部３ａと短辺部３ｂの両方における鏡８の使用が可能となっている。
【００１７】
このように構成された洗面化粧台１は、例えば図２に示すようにして、洗面室１０に設置される。すなわち、洗面室１０の隣接する壁パネル１１ａ、１１ｂで形成されるコーナ部に、カウンター３の長辺部３ａと短辺部３ｂの外辺の交差部を位置させることにより、長辺部３ａを壁パネル１１ａに近接配置し短辺部３ｂを壁パネル１１ｂに近接配置する。そして、短辺部３ｂが近接配置される壁パネル１１ｂの、壁パネル１１ａと対向する壁パネル１１ｃ側に洗面室１０への出入り用のドア１２を設けることにより、洗面化粧台１が洗面室１０に設置されて、洗面化粧台１の長辺部３ａと短辺部３ｂの前方にスペース１３が形成される。
【００１８】
次に、洗面室１０に設置された洗面化粧台１の使用方法の一例について説明する。先ず、一人で洗面化粧台１の洗面ボウル５を使用する場合は、使用者Ｍ１が図１及び図２に示す位置に立って、洗面ボウル５方向に手を伸ばして使用する。この時、洗面ボウル５がカウンター３のコーナ部４に配置されて、該コーナ部４の内辺側がＬ字にカットされていることから、このカット部分１４に使用者Ｍ１が位置することで、使用者Ｍ１が洗面ボウル５にできるだけ近づいた状態で使用できることになる。また、この使用時に、図２に示すように、使用者Ｍ１の後方にスペース１３が確保されていることから、このスペース１３を他の人である家族が通行できて、ドア１２から洗面室１０内やこれに隣接する図示しない浴室内等にスムーズに出入りできることになる。
【００１９】
また、例えば使用者Ｍ１が鏡８を見て化粧したり髭剃りをする場合は、図３に示すように、カウンター３の長辺部３ａに使用者Ｍ１が正対する状態で行うことができる。この時、長辺部３ａの奥行き寸法Ｗ１が従来の６００ｍｍに対して３００〜４５０ｍｍと小さく設定できることから、使用者Ｍ１が鏡８に近づくことができて、例えば使用者Ｍ１が近視の場合であっても、鏡８を見ながら化粧や髭剃りを良好に行うことが可能となる。
【００２０】
一方、洗面化粧台１を例えば家族二人で使用する場合は、図４に示すように、一方の使用者Ｍ１が前記カット部分１４に立ち、他の使用者Ｍ２がカウンター３の短辺部３ｂの前方に立って、例えば一つの洗面ボウル５を同時に二人で使用することができる。この洗面化粧台１を二人で使用する際には、一人が鏡８を使用し他の一人が洗面ボウル５を使用することもでき、この場合は、鏡使用者Ｍ１が図３に示す位置に立って使用し、洗面ボウル使用者Ｍ２が図４に示す位置に立って使用することができる。つまり、前記洗面化粧台１の場合、一人での使用は勿論のこと、二人での使用もできることになり、従来にない使用形態が可能となる。
【００２１】
このように、上記実施形態の洗面化粧台１にあっては、カウンター３が平面視でＬ字形状に形成され、このカウンター３のコーナ部４に楕円形状の洗面ボウル５が斜めの状態で配置されると共に、この洗面ボウル５の後方側のコーナ部４に蛇口６や操作部材７が配置されているため、鏡８に対する洗面ボウル５の突出寸法（カウンター３の奥行き寸法Ｗ１）を例えば従来の６００ｍｍから３００〜１５０ｍｍ程度小さくすることができる。
【００２２】
その結果、カウンター３の長辺部３ａの前方に立った使用者Ｍ１と鏡８との間隔が狭まり、近視の使用者Ｍ１が鏡８に所望位置まで近づくことができて、化粧や髭剃り等がし易くなると共に、使用者Ｍ１がカット部分１４に立って洗面ボウル５を良好に使用することができる。また、カウンター３のカット部分１４と短辺部３ｂの前方に使用者Ｍ１、Ｍ２が立って、例えば洗面ボウル５を同時に使用することができる等、洗面ボウル５や鏡８等を二人で使用することもできて、洗面化粧台１の使い勝手の大幅な向上を図ること等が可能となる。
【００２３】
また、キャビネット２がカウンター３の形状に対応して平面視Ｌ字形状に形成されているため、Ｌ字形状のキャビネット２の上面に略同形状のカウンター３を安定して支持することができると共に、カウンター３下方のキャビネット２内に容量の大きな収納部を形成することができる。また、キャビネット２自体がＬ字形状に形成されているため、従来の別体のサイドカウンターを使用した場合に比較して、洗面化粧台１を長期に亘り安定して使用すること等が可能となる。
【００２４】
さらに、カウンター３の短辺部３ｂ側の外辺が面する壁パネル１１ｂに洗面室１０への出入り用のドア１２が設けられているため、長辺部３ａの前方で使用者が洗面化粧台１を使用している場合であっても、その前方を他の人がスムーズに通行して出入り用のドア１２から出入りできる等、洗面化粧台１自体や洗面室１０の使い勝手をより一層向上させることができる。
【００２５】
また、カウンター３が長辺部３ａと短辺部３ｂで平面視Ｌ字形状に形成されると共に、キャビネット２も同形状に形成されているため、洗面化粧台１の設置面積として大きな比率を占める長辺部３ａの奥行き寸法Ｗ１を小さくして、洗面室１０への設置スペースを小さくすることができ、各種大きさの洗面室１０に好適に適用することが可能となる。またさらに、カウンター３のコーナ部４に洗面ボウル５や蛇口６等が集中配置された状態となっているため、洗面ボウル５等を洗面室１０の例えば反浴室側のコーナ部にすっきりと設置することができて、従来にないデザインでかつ二人使用可能な洗面化粧台１の提供が可能となる。
【００２６】
ところで、上記実施形態においては、カウンター３のコーナ部４に配置される洗面ボウル５が平面視で楕円形状である場合について説明したが、本発明はこれに限定されず、例えば図５に示すように、コーナ部４の形状に略合致した適宜の異形形状の洗面ボウル５ａ、５ｂを配置しても良い。また、カウンター３のコーナ部４の内辺側のコーナ部分１４の形状も直角に限らず、図５の二点鎖線ａで示すように、コーナ部分１４を曲線で形成して、カウンター３の平面視形状が略Ｌ字形状を呈するように構成することもでき、この場合、キャビネット２の形状は完全Ｌ字形状かもしくはカウンター３の形状に対応した形状に設定される。
【００２７】
さらに、上記実施形態においては、カウンター３の洗面ボウル５の後方のコーナ部４に蛇口６と操作部材７を配置したが、例えば、操作部材７を洗面ボウル５の両側にそれぞれ配置して、二人使用時の操作性を一層向上させることもできるし、蛇口６自体の位置もコーナ部４に限らず他の適宜位置に配置することができる。また、上記実施形態における、カウンター３自体の形状、鏡８の配置位置等も一例であって、例えばカウンター３の長辺部３ａと短辺部３ｂの長さＬ１、Ｌ２を略同一に設定したり、鏡８をカウンター３の短辺部３ｂの外辺側にも配置したりコーナ部４に斜めに配置することもできる。さらに、カウンター３をキャビネット２上に配置するのではなく、適宜な脚部材によって所定高さ位置に維持する等、本発明に係わる各発明の要旨を逸脱しない範囲において適宜に変更することができる。
【産業上の利用可能性】
【００２８】
本発明は、鏡が一体的に組み付けられた洗面化粧台に限らず、例えば鏡を別体で形成し、鏡を壁パネル等に固定することにより、鏡がカウンターの上方に配置される形態の洗面化粧台にも利用できる。
【図面の簡単な説明】
【００２９】
【図１】本発明に係わる洗面化粧台の一実施形態を示す概略平面図
【図２】同その洗面室への設置状態を示す平面図
【図３】同使用方法の説明図
【図４】同他の使用方法の説明図
【図５】同洗面ボウルの変形例を示す平面図
【図６】従来の洗面化粧台の概略平面図
【符号の説明】
【００３０】
１・・・洗面化粧台、２・・・キャビネット、３・・・カウンター、３ａ・・・長辺部、３ｂ・・・短辺部、４・・・コーナ部、５、５ａ、５ｂ・・・洗面ボウル、６・・・蛇口、７・・・操作部材、８・・・鏡、１０・・・洗面室、１１ａ〜１１ｃ・・・壁パネル、１２・・・ドア、１３・・・スペース、１４・・・カット部分、Ｍ１、Ｍ２・・・使用者、Ｗ１、Ｗ２・・・奥行き寸法、Ｌ１、Ｌ２・・・長さ。
【図１】
2007075180.tif 000003
【図２】
2007075180.tif 000004
【図３】
2007075180.tif 000005
【図４】
2007075180.tif 000006
【図５】
2007075180.tif 000007
【図６】
2007075180.tif 000008